(57)【要約】【課題】  取付物の設置作業を短時間で能率よく行ない、且つ高引張強度を継続して維持する止め着けおよびコンクリート内部の水分排出ができるものとする。【解決手段】  取付物Ｗを重ねたコンクリート構造物Ｃに取付孔Ｈを穿設して接着剤Ｂを注入し、その硬化前にアンカ１を挿入して拡開片６を押し拡げ孔壁に食い込ませて固着する。接着剤Ｂはアンカ１の先端部分と孔壁との隙間で拡開片６を埋没させて硬化しアンカ１を固着する。アンカ１の機械的固着と接着剤Ｂの物理的固着とによって、大荷重や振動が加えられる、または亀裂による劣化を生じているコンクリート構造物Ｃに対して、取付物を安定よく定着させておく。また、アンカ本体２と孔壁とに隙間を設けて形成した排水路Ｄによってコンクリート内部の水分を排出させる。【選択図】      図１
2005180138.tif 000002
【特許請求の範囲】
【請求項１】
コンクリート構造物に取付孔を穿設してその奥底に接着剤を注入すること、
アンカ本体が先端部に拡張子および拡開片を有し基端部に定着手段を有していてこれらが中実体であるとともに、前記アンカ本体の外側面の少なくとも一部に前記取付孔の孔壁に接しない部分が長手方向へ延在させて設けられているアンカを前記接着剤の硬化前に前記取付孔に挿入し、前記拡開片を前記拡張子により押し拡げ孔壁に食い込ませることによって固定すること、
前記アンカの固定と同時にまたは引き続いて取付物を前記定着手段によりコンクリート構造物の表面に押え止めること、
前記接着剤は前記アンカ本体の孔壁に接しない部分を残して前記アンカの先端部分と孔壁との隙間で前記拡開片を埋没させて硬化し、そして前記アンカ本体の孔壁に接しない部分によってコンクリート内部の水分を表面に導いて排出する排水路を形成させること、
を包含してなることを特徴とするアンカ施工方法。
【請求項２】
コンクリート構造物に奥底部分を拡径孔部とした取付孔を穿設してその奥底に接着剤を注入すること、
アンカ本体が忠実体であって先端部に拡張子および拡開片を有し基端部に定着手段を有するとともに外側面の少なくとも一部に前記取付孔の孔壁に接しない部分が長手方向へ延在させて設けられているアンカを前記接着剤の硬化前に前記取付孔に挿入し、前記拡開片を前記拡張子により押し拡げ前記拡径孔部の孔壁に食い込ませることによって固定すること、
前記アンカの固定と同時にまたは引き続いて取付物を前記定着手段によりコンクリート構造物の表面に押え止めること、
前記接着剤は前記アンカ本体の孔壁に接しない部分を残して前記アンカの先端部分と孔壁との隙間で前記拡開片を埋没させて硬化し、そして前記アンカ本体の孔壁に接しない部分によってコンクリート内部の水分を表面に導いて排出する排水路を形成させること、
を包含してなることを特徴とするアンカ施工方法。
【請求項３】
請求項１または２に記載したアンカ施工方法において、
前記取付孔に接着剤を注入する代りに、接着剤の主剤と硬化剤とを分離収容したカプセルを前記取付孔に挿入すること、
前記アンカを前記取付孔に挿入し前記カプセルの破壊および主剤・硬化剤の混合を行なわせてから前記拡開片を押し拡げ孔壁に食い込ませることによって固定すること、
を特徴とするアンカ施工方法。
【請求項４】
請求項１または３に記載した方法に使用するアンカであって、
アンカ本体が先端前方に小径軸部および拡張子を有し基端後方にボルトを有していてこれらが中実体であるとともに、前記アンカ本体は断面多角形の角軸であってその長手方向へ延在する各面が取付孔の孔壁に接しないことによってコンクリート内部の水分を表面に導く排水路を形成するものとされており、そして前記小径軸部に前記拡張子によって押し拡げられる拡開片を装着し前記ボルトにナットを螺装している。
ことを特徴とするアンカ。
【請求項５】
請求項２または３に記載した方法に使用するアンカであって、
アンカ本体が断面多角形の角軸であってその長手方向へ延在する各面が取付孔の孔壁に接しないことによってコンクリート内部の水分を表面に導く排水路を形成するものとされているとともに、先端前方および基端後方にボルトを有し、前記先端前方のボルトは先細り錐状の拡張子を螺装させ前記基端後方のボルトはナットを螺装させており、そして先端側にめねじ孔を有し基端側に前記拡張子によって押し拡げられる爪片を有する拡開片を前記先端前方に装着保持している、
ことを特徴とするアンカ。
【請求項６】
前記排水路が前記アンカ本体を断面多角形としたことによって形成される代りに、前記アンカ本体を外径が前記拡開片の外径よりも小径の丸棒としてその長手方向へ延在する外側面全周によって形成される請求項４または５に記載したアンカ。
【請求項７】
前記排水路が前記アンカ本体を断面多角形としたことによって形成される代りに、前記アンカ本体の外側面に長手方向へ延在させて設けた複数の溝条によって形成される請求項４または５に記載したアンカ。
【請求項８】
前記アンカ本体が断面多角形の角軸とされる代りに、全長におねじを有するボルトであってその長手方向へ延在する外側面全周が取付孔の孔壁に接しないものとされ、その両端部が前記先端前方および基端後方のボルトを形成している請求項５に記載したアンカ。
【発明の詳細な説明】
【技術分野】
【０００１】
本発明はコンクリート構造物の表面に取付物を定着させるためのアンカ施工方法、およびそれに用いられるアンカに関するものである。
【背景技術】
【０００２】
コンクリート構造物の表面に内・外装材、機器類、補強材などの取付物を重ねて定着させるため、コンクリート構造物に取付孔を穿設して取付具を挿入固定し、この取付具に設けたねじ手段を使用して取付物を止め着けることは広く行われており、既存のコンクリート構造物に取付物を止め着けるためのあと施工アンカとして、拡開片が押し拡げられて取付孔の孔壁に食い込むことによって固定される形式の取付具である金属拡張アンカと、取付孔の内部で接着剤が化学反応により硬化することによって取付具であるボルトなどを固定させる接着系アンカとがあることは周知である。
【０００３】
そして、金属拡張アンカはコンクリート構造物への固定と同時にまたは引き続いて取付物の止め着けを行なうことができるので取付物設置を短時間で完了できる、という利点を有し、接着系アンカは挿入したボルトなどの凹凸および孔壁の凹凸に接着剤が食い込み硬化することによる物理的固着であるため局部的な応力の発生がない、という利点を有することも広く知られている。
【０００４】
前述のアンカを用いて例えば鉄道トンネルに配管類、電線取付金具、補強材などの取付物を定着させる場合、列車が走行しない深夜から早朝にかけての短い時間内で作業を行なうのが通常であり、そのために金属拡張アンカを用いるのが有利である。
【０００５】
ところが、トンネルは大深度であると地盤による大荷重が間断なく作用し、殊に鉄道トンネルは列車走行に伴う振動が繰り返し作用することによって亀裂を生じ、コンクリート構造物自体が劣化していることがある。また、重量車両や列車の走行に伴う荷重や振動を繰り返し受ける橋梁、高架道路、高架鉄道においても亀裂を生じる。このようなコンクリート構造物に取付孔を穿設しその中で拡開片を押し拡げて孔壁に食い込ませることによる機械的固着を行なう金属拡張アンカでは、充分な強度を継続して確保するのが困難で経時的に緩みを生じるという心配がある。
【０００６】
一方、コンクリート構造物の劣化対策として、その表面に炭素繊維シート、鋼板などの補強材を接着剤で接着しコンクリート構造物と一体化させて亀裂を生じにくい剛性をもたせることが行なわれている。このものにおいて、コンクリート構造物に浸透した雨水、地下水などの水分が接着面を剥離して補強材を浮き上がらせるという不都合を防止するため、アンカで補強材を押え止めることが行なわれている。そして、このアンカに水分排出機能をもたせて浮き上がり防止効果を高めることが特開平９−７２０９８号公報、特開平１０−２３７８８９号公報に提案されているが、これらも金属拡張アンカであって劣化を開始しているコンクリート構造物に使用したとき充分な強度確保が困難となりやすい。
【０００７】
取付物を安定よく定着させるために必要な強度はアンカの使用本数を多くすることによって容易に得られるが、取付孔の穿設作業数が多くなるので作業能率が低下し、短時間で予定の作業を終了できず工期が長くなるという問題を生じることとなる。
【特許文献１】特開平９−７２０９８号公報
【特許文献２】特開平１０−２３７８８９号公報
【発明の開示】
【発明が解決しようとする課題】
【０００８】
本発明は金属拡張アンカが取付物設置を短時間で行なうことができる、という利点をもっているにもかかわらず、取付物を設置するコンクリート構造物の環境や劣化状態によっては充分な強度を継続して確保できない心配がある、という前記課題を解決するためになされたものであって、アンカの使用本数を多くすることなく作業の高能率を維持して信頼性ある強度を確保することができるものとすること、およびこのアンカを利用して水分の排出ができるものとすることを目的とする。
【課題を解決するための手段】
【０００９】
本発明はアンカ施工方法をコンクリート構造物に取付孔を穿設してその奥底に接着剤を注入すること；アンカ本体が先端部に拡張子および拡開片を有し基端部に定着手段を有していてこれらが中実体であるとともに、アンカ本体の外側面の少なくとも一部に取付孔の孔壁に接しない部分が長手方向へ延在させて設けられているアンカを接着剤の硬化前に取付孔に挿入し、拡開片を拡張子により押し拡げ孔壁に食い込ませることによって固定すること；アンカの固定と同時にまたは引き続いて取付物を定着手段によりコンクリート構造物の表面に押え止めること；接着剤はアンカ本体の孔壁に接しない部分を残してアンカの先端部分と孔壁との隙間で拡開片を埋没させて硬化し、そしてアンカ本体の孔壁に接しない部分によってコンクリート内部の水分を表面に導いて排出する排水路を形成させること；を包含してなるものとしたことをもって前記課題を解決するための第一手段とした。
【００１０】
また、本発明はアンカ施工方法をコンクリート構造物に奥底部分を拡径孔部とした取付孔を穿設してその奥底に接着剤を注入すること；アンカ本体が中実体であって先端部に拡張子および拡開片を有し基端部に定着手段を有するとともに外側面の少なくとも一部に取付孔の孔壁に接しない部分が長手方向へ延在させて設けられているアンカを接着剤の硬化前に取付孔に挿入し、拡開片を拡張子により押し拡げ拡径孔部の孔壁に食い込ませることによって固定すること；アンカの固定と同時にまたは引き続いて取付物を定着手段によりコンクリート構造物の表面に押え止めること；接着剤はアンカ本体の孔壁に接しない部分を残してアンカの先端部分と孔壁との隙間で拡開片を埋没させて硬化し、そしてアンカ本体の孔壁に接しない部分によってコンクリート内部の水分を表面に導いて排出させる排水路を形成させること；を包含してなるものとしたことをもって前記課題を解決するための第二手段とした。
【００１１】
これらの第一、第二手段によると、アンカの使用本数を多くすることなく作業の高能率を維持して信頼性ある強度を確保することができ、加えてアンカを利用して水分を排出できるものとする、という目的が達成される。
【００１２】
尚、第一、第二手段において接着剤は拡開片を埋没させて取付孔の奥底領域にのみ充填されるので、注入型に限らずカプセル型のものを使用することができる。カプセルを使用する場合はアンカで破壊、混合を行なってから拡開片を押し拡げてアンカを固定する。
【００１３】
次に、本発明は前記第一手段の方法に使用するアンカをアンカ本体が先端前方に小径軸部および拡張子を有し基端後方にボルトを有していてこれらが中実体であるとともに、アンカ本体は断面多角形の角軸であってその長手方向へ延在する各面が取付孔の孔壁に接しないものとする、外径を拡開片の外径よりも小径とした丸棒であってその長手方向へ延在する外側面全周が取付孔の孔壁に接しないものとする、外側面に長手方向へ延在させて複数の溝条を設けたものとする、のいずれかによってコンクリート内部の水分を表面に導く排水路を形成するものとされており、そして小径軸部に拡張子によって押し拡げられる拡開片を装着しボルトにナットを螺装しているものとしたことをもって前記課題を解決するための第三手段とした。
【００１４】
更に、本発明は前記第二手段の方法に使用するアンカをアンカ本体が断面多角形の角軸であってその長手方向へ延在する各面が取付孔の孔壁に接しないものとする、外径を拡開片の外径よりも小径とした丸棒であってその長手方向へ延在する外側面全周が取付孔の孔壁に接しないものとする、外側面に長手方向へ延在させて複数の溝条を設けたものとする、全長におねじを有するボルトであってその長手方向へ延在する外側面全周が取付孔の孔壁に接しないものとする、のずれかによってコンクリート内部の水分を表面に導く排水路を形成するものとされているとともに、先端前方および基端後方にボルトを有し、先端前方のボルトは先細り錐状の拡張子を螺装させ基端後方のボルトはナットを螺装させており、そして先端側にめねじ孔を有し基端側に拡張子によって押し拡げられる爪片を有する拡開片を先端前方に装着保持しているものとしたことをもって前記課題を解決するための第四手段とした。
【００１５】
これらのアンカを用いることにより前記目的が達成されるものであり、コンクリート構造物の表面に接着により重ねた補強材の浮き上がり防止に殊に有効である。
【発明の効果】
【００１６】
以上のように、本発明によると金属拡張アンカの機械的固着によって取付物の設置を短時間で能率よく行なうことができるとともに、接着剤の物理的固着によって金属拡張アンカの緩みが防止され、大荷重や振動が作用するコンクリート構造物や亀裂による劣化を生じているコンクリート構造物に対しても取付物を少ないアンカ使用本数で信頼性ある強度を継続して確保させることができるものである。
【００１７】
そして、殊に本発明によるとアンカの外側面を利用してコンクリート内部の水分を排出するので、接着により重ねた取付物が水分によって浮き上がることが防止され、取付物を更に安定よく定着させておくことができる。
【発明を実施するための最良の形態】
【００１８】
以下に図面を参照して本発明の実施の形態を説明する。図１（Ａ）〜（Ｄ）および図２（Ａ），（Ｂ），（Ｃ）は請求項１に記載したアンカ施工方法および請求項４，６，７に記載したアンカのそれぞれの実施の形態を示しており、図１に示した施工は図２（Ａ）に示したアンカを使用している。
【００１９】
図２（Ａ），（Ｂ），（Ｃ）を参照して、これらのアンカ１は棒状のアンカ本体２の先端前方に小径軸部３と截頭円錐状の拡張子４とが一体に設けられているとともに基端にボルト５を突出させて有しており、中空部分をもたない中実体である。また、小径軸部３はアンカ本体２とほぼ等しい外径の拡開片６を嵌装して装着保持し、ボルト５には座金７が嵌装されているとともにナット８が螺装されている。座金７は深皿状であって、周縁部に複数個の切欠き７ａを有している。
【００２０】
そして、これらのアンカ１はナット８が座金７を挟んでコンクリート構造物の表面に重ねた取付物に接するまで取付孔に挿入し、ナット８を取付物に押し付けた状態で回してアンカ本体２を引き抜き方向へ移動させることにより、拡開片６はその爪が取付孔の孔壁に食い付いて停止させられた状態で拡張子４により押し拡げられ孔壁に食い込むことによって機械的に固着させるものであって、一般にウエッジ式アンカと呼ばれているものと同じ固着原理で取付物を定着させる。
【００２１】
図２（Ａ）のアンカ１はアンカ本体２を断面正六角形の角軸としたもの、図２（Ｂ）のアンカ１はアンカ本体２の先端部分を除いて基端までを拡開片６の外径よりも小径の丸棒としてその基端部にボルト５を形成としたもの、図２（Ｃ）のアンカ１は丸棒のアンカ本体２の外側面にその全長に亘って延びる溝条１１の複数を周方向等間隔で設けたものである。
【００２２】
そして、取付孔に挿入したとき、アンカ本体２を角軸としたものはその長手方向へ延在する六個の面９が孔壁に接しないことにより、アンカ本体２を小径としたものはその小径部１０の外側面全周が孔壁に接しないことにより、アンカ本体２に溝条１１を設けたものはこの溝条１１が孔壁に接しないことにより、コンクリート内部の水分を表面に導く排水路をそれぞれ形成する。
【００２３】
次に、図１（Ａ）を参照して、コンクリート構造物Ｃの表面に取付物である炭素繊維シートからなる補強材Ｒが接着により密着して重ねられており、この補強材Ｒの上からドリルにより所定深さの取付孔Ｈをコンクリート構造物Ｃに穿設形成する。そして、取付孔Ｈのコンクリート粉を除去してから図１（Ｂ）に示すように注入器のノズルＮを取付孔Ｈに差し込み、接着剤Ｂの適量を取付孔Ｈの奥底に注入供給する。
【００２４】
接着剤Ｂの注入を終ったとき、直ちに図２（Ａ）に示すアンカ１を取付孔Ｈに挿入し、座金７の周縁部を補強材Ｒに重ねるとともにナット８を座金７の中央部に重ねる。このとき、図１（Ｃ）に示すようにナット８をボルト５のほぼ基端まで後退させておくことが好ましく、また接着剤Ｂはアンカ本体２の先端部分から前方に充満しそれより基端側に回り込むことがないように注入量が調節されている。続いてナット８を座金７に押し付けた状態でねじ込み方向へ回すと、ボルト５，アンカ本体２，小径軸部３，拡張子４が一体に引き抜き方向へ移動し、拡開片６を拡張子４が押し拡げて取付孔Ｈの孔壁に食い込ませ、図１（Ｄ）に示す状態となる。
【００２５】
以上の工程によりアンカ１は機械的に固着されて補強材Ｒをコンクリート構造物Ｃの表面に押し付け、接着剤Ｂは経時的に硬化してアンカ１を物理的に固着するに至る。そして、コンクリート構造物Ｃの内部の水分が取付孔Ｈに滲出したとき、この水分はアンカ本体１の面９と取付孔Ｈの孔壁との隙間が形成する排水路Ｄを流れて表面に達し、座金７の内部から切欠き７ａを通って外部に排出される。
【００２６】
本実施の形態によると、アンカ１の機械的および物理的な固着による強固な固定と、アンカ本体２の外側面に形成した排水路Ｄによってコンクリート内部の水分が高効率で回収排出されることとによって、補強材Ｒを浮き上がらせる心配なく定着させておくことができる。
【００２７】
尚、本実施の形態におけるアンカ１のアンカ本体２を通常のものよりも長く作ることにより、水分を更に大量に排出させることができる。
【００２８】
更に、図１，図２に示した実施の形態では小径軸部３．拡張子４および拡開片６に接して取付孔Ｈの奥底部にのみ接着剤Ｂが充填され、アンカ本体２の周囲は排出路Ｄを形成するため接着剤Ｂを流入させないものとしている。このため、接着剤Ｂとしてカプセル型のものを使用することができる。
【００２９】
カプセルは接着剤の主剤と硬化剤とを分離収容した容器であり、これを取付孔Ｈに挿入してからアンカ１を取付孔Ｈに挿入し、アンカ１を用いてカプセルに衝撃を加えて破壊し、且つ主剤と硬化剤とを混合してから拡開片６を押し拡げ孔壁に食い込ませる。アンカ１は拡開片６の外側面と取付孔Ｈの孔壁との間に殆ど隙間がない状態で取付孔Ｈに挿入されるものであることから、破壊によって生じた容器の細片がこの隙間に入って拡開片６の押し拡げの邪魔をすることはない。そして、接着剤は拡張子４と取付孔Ｈとの間、および小径軸部３と押し拡げられた拡開片６との間の空間に充満し、また拡開片６と孔壁との間にも入って拡開片６の食い込みを緩ませないように働く。
【００３０】
図３（Ａ）〜（Ｅ）および図４（Ａ），（Ｂ），（Ｃ），（Ｄ）は請求項２に記載したアンカ施工方法および請求項５，６，７，８に記載したアンカのそれぞれの実施の形態を示しており、図３に示した施行は図４（Ｄ）に示したアンカを使用している。
【００３１】
図４（Ａ），（Ｂ），（Ｃ），（Ｄ）を参照して、これらのアンカ２１は棒状のアンカ本体２２の先端前方および基端後方にボルト２３，２４を有しており、先端前方のボルト２３に先端へ向かって小径となる先細り円錐状の拡張子２５が螺装され、基端後方のボルト２４に座金２７が嵌装されているとともにナット２８が螺装されている。  座金２７は深皿状であって周縁部に複数個の切欠き２７ａを有している。  また、ボルト２３に螺装されるめねじ孔２６ａを先端側に有し、拡張子２５によってアンカ基端方向へ向いた先端部分が大きく押し拡げられる複数個の爪片２６ｂを基端側に有する拡開片２６が、爪片２６ｂを拡張子２５に接触させめねじ孔２６ａをボルト２３に螺装させない状態で装着保持されている。
【００３２】
そして、これらのアンカ２１は座金２７とナット２８とを外して取付孔の底に拡開片２６が接するまで挿入し、基端面をハンマで叩打してアンカ本体２２と拡張子２５とを一体に打込むことにより、拡張子２５が爪片２６ｂを押し拡げるものであり、次にボルト２３を拡開片２６にねじ込む方向へアンカ本体２２を回してめねじ孔２６ａにねじ込む方向へアンカ本体２２を回してめねじ孔２６ａにボルト２３を螺装させる。そして、ボルト２４にナット２８を螺装しコンクリート表面に押し付けた状態でアンカ本体２２を引き抜く方向へ回すことにより拡開片２６が抜け出し方向へ移動し、爪片２６ｂの大きく拡げられている先端部分が孔壁に突き刺さるように食い込むことにより機械的に固着させるものである。
【００３３】
図４（Ａ）のアンカ２１はアンカ本体２２を断面正六角形の角軸としたもの、図４（Ｂ）のアンカ２１はアンカ本体２２を両端のボルト２３，２４と同一外径の丸棒としたもの、図４（Ｃ）のアンカ２１は丸棒のアンカ本体２２の外側面にその全長に亘って延びる溝条３１の複数を周方向等間隔で設けたもの、図４（Ｄ）のアンカ２１はアンカ本体２２を両端のボルト２３，２４に連続するおねじを全長に設け実質的に一本のボルトで形成したものである。
【００３４】
そして、取付孔に挿入したとき、アンカ本体２２を角軸としたものはその長手方向に延在する六個の面２９が孔壁に接しないことにより、アンカ本体２２を丸棒またはボルトとしたものはその外側面全周が孔壁に接しないことにより、アンカ本体２２に溝条３１を設けたものはこの溝条３１が孔壁に接しないことにより、コンクリート内部の水分を表面に導く排水路をそれぞれ形成する。
【００３５】
次に、図３（Ａ）を参照して、コンクリート構造物Ｃの表面に取付物である炭素繊維シートからなる補強材Ｒが接着により密着して重ねられており、この補強材Ｒの上からドリルにより拡開片２６が挿入可能な径であって所定深さの取付孔Ｈをコンクリート構造物Ｃに穿設形成し、次で拡孔工具を取付孔Ｈに挿入して奥底部分に拡開片２６の長さよりも少し深い拡径孔部ＨＡを形成する。  取付孔Ｈのコンクリート粉を除去してから図３（Ｂ）に示すように注入器のノズルＮを取付孔Ｈに差し込み、接着剤Ｂの適量を拡径孔部ＨＡに注入供給する。
【００３６】
接着剤Ｂの注入を終ったとき、図４（Ｄ）に示すアンカ２１から座金２７，ナット２８を外したものを直ちに取付孔Ｈに拡開片２６の先端が孔底に接するまで挿入する。  接着剤Ｂは拡径孔部ＨＡに進入したアンカ２１先端部分により押しのけられ、拡開片２６を包み込んで拡径孔部ＨＡおよびその入口側領域に充満して図３（Ｃ）に示す状態となる。
【００３７】
次に、ボルト２４の基端面をハンマで叩打し、アンカ本体２２と拡張子２５とを一体に打込むと、拡張子２５が拡開片２６に深く進入して爪片２６ｂを拡径孔部ＨＡの内部で押し拡げ、図３（Ｄ）に示す状態とする。  続いて、ボルト２３を拡開片２６にねじ込む方向へアンカ本体２２を回してめねじ孔２６ａにボルト２３を螺装させる。  このとき、拡張子２５は爪片２６ｂを最大限に押し拡げた位置に停止させられる。  このようにしてアンカ本体２２に拡開片２６が結合されたとき、ボルト２４に座金２７を嵌装するとともにナット２８を螺装し、座金２７を補強材Ｒの表面に押し付けるとともにナット２８を座金２７に重ねた状態でアンカ本体２２を引き抜く方向へナット２８を回す。  これにより、アンカ本体２２と拡開片２６とが一体に抜け出し方向へ移動する。  本実施の形態では爪片２６ｂが拡径孔部ＨＡの周壁に接しておらず、引き抜きによって入口の段部ＨＢに爪片２６ｂの先端が食い込むことによって図３（Ｅ）に示す状態で固定されることとなる。
【００３８】
以上の工程によってアンカ２１は機械的に固着されて補強材Ｒをコンクリート構造物Ｃの表面に押し付け、接着剤Ｂは経時的に硬化してアンカ２１を物理的に固着するようになること、および取付孔Ｈに滲出したコンクリート構造物Ｃの内部の水分がアンカ本体２２の外側面と取付孔Ｈの孔壁との隙間が形成する排水路Ｄを通って座金２７の内部に達し、切欠き２７ａから外部に排出されること、は図１，図２のものと同じである。  また、本実施の形態によってもアンカ２１の機械的および物理的な固着による強固な固定が行なわれるが、アンカ２１の基端方向へ向かって押し拡げられた爪片２６ｂが拡径孔部ＨＡ入口の段部ＨＢに食い込むことにより、図１，図２のものよりも大きい引き抜き強度が得られる。  更に、本実施の形態においてもカプセル型の接着剤Ｂを使用することができる。
【図面の簡単な説明】
【００３９】
【図１】本発明に係る施工方法の実施の形態を説明する縦断面図。
【図２】図１に示した方法に使用するアンカの実施の形態を示す一部切截した正面図。
【図３】本発明に係る施行方法の異なる実施の形態を説明する縦断面図。
【図４】図３に示した方法に使用するアンカの実施の形態を示す縦断面
【符号の説明】
【００４０】
１，２１  アンカ、２，２２  アンカ本体、４，２５  拡張子、５，２３，２４  ボルト、６，２６  拡開片、８，２８  ナット、Ｂ  接着剤、Ｃ  コンクリート構造物、Ｄ  排水路、Ｈ  取付孔、ＨＡ  拡径孔部、Ｒ  補強材
【図１】
2005180138.tif 000003
【図２】
2005180138.tif 000004
【図３】
2005180138.tif 000005
【図４】
2005180138.tif 000006